(57)【要約】  【課題】駆動回路部分の構成を簡単化する。  【解決手段】発振回路２で発振された特定周波数域の電気信号を、特定強度の範囲でもって出力する第１駆動回路３Ａおよび第２駆動回路３Ｂが設けられる。超音波振動子１２を内蔵して駆動回路からの出力を受けて超音波を照射する照射パッドとして、大面積とされた第１大照射パッド１０Ａおよび第２大照射パッド１０Ｂと、小面積とされた第１小照射パッド１１Ａおよび第２小照射パッド１１Ｂが設けられる。第１駆動回路３Ａに対して、第１大照射パッド１０Ａおよび第１小照射パッド１１Ａが並列に接続され、第２駆動回路３Ｂに対して、第２大照射パッド１０Ｂおよび第２小照射パッド１１Ｂが並列に接続される。【選択図】  図２
0003135343.tif 000002
【実用新案登録請求の範囲】
【請求項１】
特定周波数域の電気信号を発振する発振回路と、
それぞれ前記発振回路で発振された電気信号を特定強度の範囲でもって出力する第１駆動回路および第２駆動回路と、
それぞれ超音波振動子を内蔵すると共に前記駆動回路からの出力を受けて超音波を照射する第１大照射パッドおよび第２大照射パッドと、
それぞれ超音波振動子を内蔵すると共に前記大照射パッドよりも小さな面積とされて、前記駆動回路からの出力を受けて超音波を照射する第１小照射パッドおよび第２小照射パッドと、
を有し、
前記第１駆動回路に対して、前記第１大照射パッドおよび第１小照射パッドが並列に接続され、
前記第２駆動回路に対して、前記第２大照射パッドおよび第２小照射パッドが並列に接続される、
ことを特徴とする超音波照射装置。
【請求項２】
請求項１において、
前記各照射パッドが、前記駆動回路に対して、接続端子を介して着脱自在に接続される、ことを特徴とする超音波照射装置。
【請求項３】
請求項２において、
前記大照射パッド用の前記接続端子が、前記小照射パッド用の前記接続端子に比して大径とされている、ことを特徴とする超音波照射装置。
【請求項４】
請求項１ないし請求項３のいずれか１項において、
前記各照射パッド内には、互いに同一仕様とされた複数の超音波振動子が互いに並列に前記駆動回路に接続されるように配設され、
前記大照射パッドに内蔵された前記超音波振動子の数が、前記小照射パッドに内蔵された前記超音波振動子の数よりも多くされている、
ことを特徴とする超音波振動子。
【請求項５】
請求項４において、
前記発振回路と各駆動回路とが、携帯可能な大きさとされたケーシング内に配設され、
着脱自在な接続関係を確保するための前記接続端子が、前記駆動回路に常時接続されると共に前記ケーシングの外面に露出された一方側接続端子と、該一方側接続端子に対して着脱自在に接続されると共に前記照射パッドに常時接続された他方側接続端子とによって構成されている、
ことを特徴とする超音波照射装置。
【請求項６】
請求項５において、
前記ケーシングは、薄型とされて、平坦面に載置した状態での上面に、表示部と操作部とを有し、
前記操作部には、それぞれマニュアル操作されて、前記駆動回路からの出力時間を設定するためのタイマスイッチと、該駆動回路からの出力開始を指令する出力指令スイッチと、該駆動回路からの出力中止を指令する出力中止スイッチと、を含むように設定され、
前記表示部には、前記タイマスイッチによって設定された時間を表示すると共に、前記出力指令スイッチが操作された後は前記駆動回路から出力すべき残り時間が表示される時間表示部と、該駆動回路から出力されていることを示す出力状態表示部と、を含むように設定されている、
ことを特徴とする超音波照射装置。
【請求項７】
請求項１ないし請求項６のいずれか１項において、
前記特定周波数域が、前記照射パッドの振動数でもって５００ＫＨＺ〜５３０ＫＨＺとなるように設定され、
前記特定強度の範囲が、前記照射パッドの出力でもって５ｍＷ／ｃｍ２〜１１０ｍＷ／ｃｍ２となるように設定されている、
ことを特徴とする超音波振動子。
【考案の詳細な説明】
【技術分野】
【０００１】
本考案は、超音波照射装置に関するものである。
【背景技術】
【０００２】
ほ乳類、特に人体の脂肪分解を行うために、美容器、健康器あるいは治療器の一種として、超音波振動子を内臓した照射パッドを体表面に装着して、駆動回路から特定周波数域でかつ特定強度の電気信号を照射パッドに出力することが提案されている（特許文献１〜特許文献４参照）。そして、超音波照射によって体内で分解された脂肪を効果的に消費させるために、上記超音波照射と同時にあるいはその後に、電気刺激や運動によって筋肉に刺激を与えることが効果的であることも提案されている（特許文献１、特許文献２，特許文献４参照）。
【特許文献１】特開２０００−１５９６６４号公報
【特許文献２】特開２００１−２８６４８４号公報
【特許文献３】特開２００５−２８０２７号公報
【特許文献４】特開２００５−２６１５２０号公報
【考案の開示】
【考案が解決しようとする課題】
【０００３】
ところで、脂肪分解のために人体に対して超音波照射する部位としては、腹部、太腿部あるいは腕部のような比較的広い面積となる部位や、顔面や顎など比較的狭い面積部位がある。このように、超音波を照射すべき部位の面積の大小に応じて、超音波振動子を内蔵した照射パッドを大きな面積を有する大照射パッドと小さな面積とされた小照射パッドとを用意する必要が生じる。
【０００４】
一方、人体の左右対称部位に同時に超音波を照射するという要請が極めて強いものとなる。例えば左右の太腿に同時に超音波を照射するという要請があり、これに加えて顔面の左右対称位置にも同時に超音波を照射するという要請がある。このような要請に応えるためには、左右一対の大照射パッドと左右一対の小照射パッドとを用意して、これらの照射パッドが同時に使用できるようにすることが必要になる。
【０００５】
上記のように大小各２個づつの照射パッドを同時に使用する場合、通常であれば、各照射パッドに対応してそれぞれ１個の駆動回路を対応させるべく合計４個の駆動回路を用意すると共に、大小の照射パッドに応じて仕様を異ならせた２組の相違する駆動回路を用意することとなる。しかしながら、この場合は、駆動回路の数が極めて多くなってしまい、しかも２種類の駆動回路を用意することから、全体としてかなりのコストアップになってしまうことになる。
【０００６】
本考案は以上のような事情を勘案してなされたもので、その目的は、駆動回路部分の構成を簡単化できるようにした超音波照射装置を提供することにある。
【課題を解決するための手段】
【０００７】
前記目的を達成するため、本考案にあっては、基本的に、１つの大照射パッドと１つの小照射パッドとの組み合わせを１組の照射パッド群と考えて、このような照射パッド群の組み合わせが２組存在することから、駆動回路として共通の２個のみを設ければすむようにしてある。具体的には、本考案にあっては次のような解決手法を採択してある。すなわち、実用新案登録請求の範囲における請求項１に記載のように、
特定周波数域の電気信号を発振する発振回路と、
それぞれ前記発振回路で発振された電気信号を特定強度の範囲でもって出力する第１駆動回路および第２駆動回路と、
それぞれ超音波振動子を内蔵すると共に前記駆動回路からの出力を受けて超音波を照射する第１大照射パッドおよび第２大照射パッドと、
それぞれ超音波振動子を内蔵すると共に前記大照射パッドよりも小さな面積とされて、前記駆動回路からの出力を受けて超音波を照射する第１小照射パッドおよび第２小照射パッドと、
を有し、
前記第１駆動回路に対して、前記第１大照射パッドおよび第１小照射パッドが並列に接続され、
前記第２駆動回路に対して、前記第２大照射パッドおよび第２小照射パッドが並列に接続される、
ようにしてある。上記解決手法によれば、駆動回路としては、互いに共通仕様とされた２つの駆動回路を設けるだけですみ、大幅なコストダウンになる。
【０００８】
上記解決手法を前提とした好ましい態様は、実用新案登録請求の範囲における請求項２以下に記載のとおりである。すなわち、
前記各照射パッドが、前記駆動回路に対して、接続端子を介して着脱自在に接続される、ようにしてある（請求項２対応）。この場合、使用しない照射パッドについては接続端子部分でもって接続解除しておくことにより、使用しない照射パッドから不必要に超音波が照射されてしまう事態を確実に防止することができる。すなわち、使用しない照射パッドから不必要に超音波が照射されてしまうと、無駄な電力消費となるばかりでなく、超音波照射装置本体に対する悪影響も考えられるが、このような事態が確実に防止されることになる。
【０００９】
前記大照射パッド用の前記接続端子が、前記小照射パッド用の前記接続端子に比して大径とされている、ようにしてある（請求項３対応）。この場合、１つの駆動回路に対して、誤って２つの大照射パッドを接続してしまったり、あるいは２つの小照射パッドを接続してしまうというような接続ミスを確実に防止する上で好ましいものとなる。
【００１０】
前記各照射パッド内には、互いに同一仕様とされた複数の超音波振動子が互いに並列に前記駆動回路に接続されるように配設され、、
前記大照射パッドに内蔵された前記超音波振動子の数が、前記小照射パッドに内蔵された前記超音波振動子の数よりも多くされている、
ようにしてある（請求項４対応）。この場合、各照射パッドについて超音波振動子を共通仕様として、そのコストダウンを図る等の上で好ましいものとなる。また、照射パッドの面積の大小に応じて超音波振動子の数を変更してあるので、単位面積あたりの超音波照射の態様を、大照射パッドおよび小照射パッド共に同一に設定する上でも好ましいものとなる。
【００１１】
前記発振回路と各駆動回路とが、携帯可能な大きさとされたケーシング内に配設され、
着脱自在な接続関係を確保するための前記接続端子が、前記駆動回路に常時接続されると共に前記ケーシングの外面に露出された一方側接続端子と、該一方側接続端子に対して着脱自在に接続されると共に前記照射パッドに常時接続された他方側接続端子とによって構成されている、
ようにしてある（請求項５対応）。この場合、超音波照射装置を脂肪分解を希望する患者まで容易に移動させることができ、超音波照射を任意の場所で行うようにする上で好ましいものとなる。
【００１２】
前記ケーシングは、薄型とされて、平坦面に載置した状態での上面に、表示部と操作部とを有し、
前記操作部には、それぞれマニュアル操作されて、前記駆動回路からの出力時間を設定するためのタイマスイッチと、該駆動回路からの出力開始を指令する出力指令スイッチと、該駆動回路からの出力中止を指令する出力中止スイッチと、を含むように設定され、
前記表示部には、前記タイマスイッチによって設定された時間を表示すると共に、前記出力指令スイッチが操作された後は前記駆動回路から出力すべき残り時間が表示される時間表示部と、該駆動回路から出力されていることを示す出力状態表示部と、を含むように設定されている、
ようにしてある（請求項６対応）。この場合、薄型で比較的広い面積となる上面を、操作部および表示部として有効利用して、操作性や表示部の視認性のよいものとなる。また、出力時間をタイマ設定することができ、出力の残り時間を知ることができ、出力の開始や中止を所望タイミングで行うことができ、照射中であるか否かも容易に知ることができ、実用性の高いものとなる。
【００１３】
前記特定周波数域が、前記照射パッドの振動数でもって５００ＫＨＺ〜５３０ＫＨＺとなるように設定され、
前記特定強度の範囲が、前記照射パッドの出力でもって５ｍＷ／ｃｍ２〜１１０ｍＷ／ｃｍ２となるように設定されている、
ようにしてある（請求項７対応）。この場合、人体の脂肪分解に極めて効果的な出力態様とすることができる。
【考案の効果】
【００１４】
本考案によれば、駆動回路部分の構成を簡単化して、大幅なコストダウンを図ることができる。
【考案を実施するための最良の形態】
【００１５】
図１は、本考案による超音波照射装置の本体部Ｈの外観を示すものであり、平坦面に載置したときの状態を上方から見たものである。この本体部Ｈの外殻を構成するケーシングＫは、上方から見たときに略楕円形状とされている。ケーシングＫの上面中央部には、各種スイッチＳ０〜Ｓ５からなる操作部と、表示面Ｈ１〜Ｈ６からなる表示部とが配設されている。なお、この操作部および表示部については後述する。
【００１６】
ケーシングＫ内には、図２に示すような回路構成が内蔵されている。この図２において、１は商用電源に接続される電源回路、２は発振回路、３Ａ、３Ｂはそれぞれ駆動回路（アンプ）、４Ａ、４Ｂはそれぞれ電圧検出回路、５Ａ、５Ｂ、６Ａ、６Ｂはそれぞれ接続端子である。発振回路２では、特定周波数域の電気信号を例えば正弦波でもって生成して、各駆動回路３Ａ、３Ｂに出力する。各駆動回路３Ａ、３Ｂは互いに同一仕様とされて、後述するように、入力された特定周波数域の電気信号を特定の強度となるように増幅して出力する。
【００１７】
駆動回路３Ａからは、２つの接続端子５Ａ、６Ａに対して並列に出力され、この駆動回路３Ａからの出力状態を示す電圧の大きさが、電圧検出回路４Ａによって検出される。同様に、駆動回路３Ｂからは、２つの接続端子５Ｂ、６Ｂに対して並列に出力され、この駆動回路３Ｂからの出力状態を示す電圧の大きさが、電圧検出回路４Ｂによって検出される。
【００１８】
各接続端子５Ａ、６Ａ、５Ｂ、６Ｂは、それぞれ着脱自在な接続構造を確保するために、互いに着脱自在に接続される一方側接続端子５Ａ−１、６Ａ−１、５Ｂ−１、６Ｂ−１と、他方側接続端子５Ａ−２、６Ａ−２、５Ｂ−２、６Ｂ−２とから構成されている。一方側接続端子５Ａ−１、６Ａ−１、５Ｂ−１、６Ｂ−１は、駆動回路３Ａあるいは３Ｂに常時接続されると共に、ケーシングＫの外面に臨んだ状態でケーシングＫに固定されている（図６参照）。
【００１９】
図２において、１０Ａ、１０Ｂは、比較的大きな面積を有する大照射パッドであり、１１Ａ、１１Ｂは、大照射パッド１０Ａ、１０Ｂよりも小さな面積を有する小照射パッドである。大照射パッド１０Ａ、１０Ｂは、人体の腹部や太腿、腕部等に装着して使用されるもので、全体的に長方形状とされて、実施形態では１３ｃｍ×１８ｃｍの大きさとされている。また、小照射パッド１１Ａ、１１Ｂは、顔面や顎部に装着して使用されるもので、全体的に長方形状とされて、実施形態では５ｃｍ×１０ｃｍの大きさとされている。
【００２０】
図３，図４に示すように、各照射パッド１０Ａ、１０Ｂ、１１Ａ、１１Ｂは、それぞれ絶縁性を有する軟質の表皮材内に複数の超音波振動子１２を内蔵したものとなっていて、各照射パッドにおける各超音波振動子１２は互いに同一仕様のものが用いられている。この超音波振動子１２は、５００ＫＨＺ〜５３０ＫＨＺの固有の共振振動周波数を有するように設定されている（実施形態では、設計上５１７ＫＨＺの共振振動周波数を有するように設定されて、個体差を考慮して５００ＫＨＺ〜５３０ＫＨＺの範囲内に収まるようにされている）。このような超音波振動子１２は、大照射パッド１０Ａ、１０Ｂについては３×４個の１２個が分散配置して使用され、小照射パッド１１Ａ、１１Ｂにおいては２個分散配置して用いられている。複数の超音波振動子１２を内蔵した各照射パッド１０Ａ、１０Ｂ、１１Ａ、１１Ｂは、固有の共振振動数を有することになる（超音波振動子１２の共振振動数と同じになる）。
【００２１】
各照射パッド１０Ａ、１０Ｂ、１１Ａ、１１Ｂは、それぞれ２本一対となるケーブル１３を介して、前述した接続端子他方側接続端子５Ａ−２、６Ａ−２、５Ｂ−２あるいは６Ｂ−２に常時接続されている。上記ケーブル１３は、プラス用ケーブル１３ａとマイナス（アース）用ケーブル１３ｂとの２本一対となっていて、各照射パッド１０Ａ、１０Ｂ、１１Ａ、１１Ｂ内の複数の超音波振動子１２は、それぞれプラス用とマイナス用の２本のケーブル１３ａと１３ｂとに対して並列に接続されている。
【００２２】
図６に示すように、照射パッド１０Ａ、１０Ｂ、１１Ａ、１１Ｂ側となる他方側接続端子５Ａ−２、６Ａ−２、５Ｂ−２、６Ｂ−２は、雄プラグとされる一方、駆動回路３Ａ、３Ｂ側の接続端子５Ａ−１、６Ａ−１、５Ｂ−１、６Ｂ−１は、雌型プラグとされている。これにより、例えば、他方側接続端子５Ａ−２を一方側接続端子５Ａ−１に深く挿入することによって、大照射パッド１０Ａが駆動回路３Ａに接続され（大照射パッド１０Ａにおける複数の超音波振動子１２が駆動回路３Ａに並列接続される）、他方側接続端子５Ａ−２を一方側接続端子５Ａ−１から引き抜くことにより駆動回路３Ａと大照射パッド１０Ａとの接続関係が解除される。このような照射パッドと駆動回路との接続および接続解除は、他の接続端子５Ｂ、６Ａ、６Ｂについても同じである。なお、図６中、１０ａ、１０ｂはプラス電極、１０Ｃ１０ｄはマイナス電極である。
【００２３】
特に図５に示すように、大照射パッド１０Ａ、１０Ｂ用の接続端子５Ａ、６Ａは大径に設定される共に、小照射パッド１１Ａ、１１Ｂ用の接続端子５Ｂ、６Ｂは小径に設定されている。これにより、１つの駆動回路３Ａあるいは３Ｂに対して、２つの大照射パッド１０Ａ、１０Ｂが誤って接続されてしまう事態が確実に防止され、同様に、１つの駆動回路３Ａあるいは３Ｂに対して２つの小照射パッド１１Ａ、１１Ｂが接続されてしまう事態が確実に防止される。
【００２４】
次に、前述した、各種スイッチＳ０〜Ｓ５からなる操作部と、表示面Ｈ１〜Ｈ６からなる表示部との詳細について説明する。まず、図２において、Ｕはマイクロコンピュータを利用して構成されたコントローラである。このコントローラＵには、電源回路１，電圧検出回路４Ａ、４ＢＡが接続される他、各種スイッチＳ０〜Ｓ５、表示面Ｈ１〜Ｈ６、警報器１４が接続されている。
【００２５】
コントローラＵによる制御は、次のように行われる。まず、電源スイッチＳ０を操作することによって、電源回路１のＯＮ、ＯＦＦが行われ、電源オンのときに、例えば表示面Ｈ１、Ｈ２が点灯される。る。タイマスイッチＳ１，Ｓ２は、出力する総時間を設定するもので、一方のタイマスイッチＳ１がタイマ値の加算用であって、操作する毎に、例えば１分間隔でもって時間が大きく（長く）される（実施形態では上限設定時間が例えば２０分というように規制される）。また、他方のタイマスイッチＳ２がタイマ値の減算用であって、操作する毎に、例えば１分間隔でもって時間が小さく（短く）される。このスイッチＳ１、Ｓ２によって入力された設定時間が、表示面Ｈ１に表示される。
【００２６】
タイマスイッチＳ１、Ｓ２によって総出力時間が設定された状態で、開始スイッチＳ３を操作することによって、駆動回路３Ａおよび３Ｂからの出力が開始される共に、出力が開始さえていることを明示すべく表示面（表示ランプ）Ｈ３が点灯表示される。中止スイッチＳ４を操作することによって、駆動回路３Ａ、３Ｂからの出力が一時的に停止されると共に、出力の一時中止中であることを明示すべく表示面Ｈ（表示ランプ）４が点灯表示される。表示面Ｈ１には、駆動回路３Ａ、３Ｂが実際に出力した時間を減算した時間つまり出力すべき残り時間が表示される。駆動回路３Ａ、３Ｂの出力を一時的に中止している状態で、開始スイッチＳ３を再び操作することによって、中止されていた駆動回路３Ａ、３Ｂからの出力が再び開始される。駆動回路３Ａ、３Ｂから出力されているとき、表示面Ｈ２には、例えばサイン波形が横方向に移動するように表示されて、出力状態であることが明確に視認されるようになっている。
【００２７】
タイマスイッチＳ１、Ｓ２によって設定されたタイマ時間が経過したときは、駆動回路３Ａ、３Ｂからの出力が完全に終了されると共に、表示面Ｈ１に表示される時間が０に復帰される（初期状態への復帰）。また、終了スイッチＳ５を操作することにより、駆動回路３Ａ、３Ｂからの出力が完全に終了されると共に、表示面Ｈ１に表示される時間が０に復帰され（初期状態への復帰）、しかも出力終了状態であることを明示すべく表示面（表示ランプ）Ｈ５が点灯表示される。駆動回路３Ａ、３Ｂからの出力中に、電圧検出回路４Ａ、４Ｂによって異常電圧が検出されたときは、駆動回路３Ａ、３Ｂからの出力が強制的に終了されると共に、異常を知らせるべく、ブザー、ランプ等の警報器１４が作動されると共に、異常を目視によっても知らせるべく表示面（表示ランプ）Ｈ６が点灯表示される。なお、タイマ設定時間が０になったときは、終了チャイムやブザーを作動させるようにしてもよい。
【００２８】
以上のような構成において、例えば、一対の大照射パッド１０Ａ、１０Ｂを人体の左右の太腿に装着し、一対の小照射パッド１１Ａ、１１Ｂを顔面の左右に装着する。この状態で、大小一対の照射パッド１０Ａ、１１Ａを接続端子５Ａ、６Ａを介して一方の駆動回路３Ａに接続すると共に、大小一対の照射パッド１０Ｂ、１１Ｂを接続端子５Ｂ、６Ｂを介して他方の駆動回路３Ｂに接続する。この後、駆動回路３Ａ、３Ｂから出力させることにより、各照射パッドする１０Ａ、１０Ｂ、１１Ａ、１１Ｂかた超音波が照射されて、この部分の脂肪が分解されることになる。超音波照射を行った後、超音波照射された部位に電気的刺激を与えて筋肉運動を行わせることにより、あるいは超音波照射された人が自分自身で運動を行うことにより、分解された脂肪の体内での消費が行われることになる。
【００２９】
一対の大照射パッド１０Ａ、１０Ｂのみを用いた超音波照射を行うこともでき、一対の小照射パッド１１Ａ、１１Ｂのみを用いた超音波照射を行うこともできる。大照射パッド１０Ａ、１０Ｂ用の接続端子５Ａ、５Ｂと、小照射パッド１１Ａ、１１Ｂ用の接続端子６Ａ、６Ｂとの径が相違するので、１つの駆動回路３Ａあるいは３Ｂに対して、２つの大照射パッド１０Ａ、１０Ｂが接続されてしまったり、逆に２つの小照射パッド１１Ａ、１１Ｂが接続されてしまうような事態が確実に防止される。
【００３０】
ここで、、照射パッド１０Ａ、１０Ｂ、１１Ａ、１１Ｂからの出力の大きさは、駆動回路３Ａ、３Ｂに接続される照射パッド数の変化（つまり負荷抵抗の変化）によって相違することになる。しかしながら、出力の変化幅は比較的小さいものであり、各照射パッドでの出力でもって示したときに、脂肪分解に理想的とされている５ｍＷ／ｃｍ２〜１１０ｍＷ／ｃｍ２の出力範囲に容易に収まるように設定することが可能である。
【００３１】
以上実施形態について説明したが、本考案は、実施形態に限定されるものではなく、実用新案登録請求の範囲の記載された範囲において適宜の変更が可能であり、例えば次のような場合をも含むものである。駆動回路３Ａ、３Ｂの出力を調整するマニュアル操作されるスイッチを別途設けるようにしてもよい。１つの駆動回路３Ａ、３Ｂに対して大小２つの照射パッドが接続される設定が確保できればよく、したがって、１つの駆動回路３Ａ、３Ｂに対して３以上の照射パッドを接続するような設定であってもよい。照射パッドを常時駆動回路に接続しておくようにしてもよい（この場合は、例えば各照射パッド１０Ａ、１０Ｂ、１１Ａ、１１Ｂについて個々にＯＮ、ＯＦＦスイッチを接続しておいて、使用しない照射パッドから超音波が照射されないようにするのが好ましい）。超音波照射装置を、図２に示すような構成を複数組有する大型のものとして（据え置き型）、１台の超音波照射装置でもって複数人に対して同時に超音波照射できるようにしてもよい。
【００３２】
各照射パッドにおける各超音波振動子１２を、常時アースされる人体を通して接続しておくようにしてもよく、この場合は、アース用接続端子が人体に装着されると共に、各接続端子５Ａ、６Ａ、５Ｂ、６Ｂはプラス側の接続のみとなる。また、各照射パッド１０Ａ、１０Ｂ、１１Ａ、１１Ｂを、密着性確保等のためにゼリー等を介して体表面に装着するのが好ましい。勿論、本考案の目的は、明記されたものに限らず、実質的に好ましいあるいは利点として表現されたものを提供することをも暗黙的に含むものである。
【図面の簡単な説明】
【００３３】
【図１】超音波照射装置の本体部を示す全体平面図。
【図２】本考案による超音波照射装置の全体回路図。
【図３】大照射パッドの一例を示す平面図。
【図４】小照射パッドの一例を示す平面図。
【図５】超音波照射装置のケーシング側に固定設置された一方側接続端子の一例を示す要部正面図。
【図６】着脱自在な接続端子の一例を示す断面図。
【符号の説明】
【００３４】
１：電源回路
２：発振回路
３Ａ、３Ｂ：駆動回路
５Ａ、５Ｂ：接続端子（大照射パッド用）
６Ａ、６Ｂ：接続端子（小照射パッド用）
１０Ａ、１０Ｂ：大照射パッド
１１Ａ、１１Ｂ：小照射パッド
１２：超音波振動子
１３：ケーブル
Ｋ：ケーシング
Ｕ：コントローラ
Ｓ０〜Ｓ５：スイッチ（操作部）
Ｈ１、Ｈ２：表示面（表示部）
【図１】
0003135343.tif 000003
【図２】
0003135343.tif 000004
【図３】
0003135343.tif 000005
【図４】
0003135343.tif 000006
【図５】
0003135343.tif 000007
【図６】
0003135343.tif 000008